(57)【要約】【課題】ディスクスロット部における剛性の確保を容易にすることができ、かつ、デザインの自由度を向上することができる照明装置、ディスク再生装置及び導光体を提供する。【解決手段】照明装置１００は、開口部１１の第１長辺１２ａ又は第２長辺１２ｂのいずれかに沿って設けられた第１導光部２１と、第１導光部２１の両端部にそれぞれ設けられた第２導光部３１ａ，３１ｂとを有する導光体５を備え、ディスク再生装置２００の内部に設けられた光源４ａ，４ｂが発した光を第２導光部３１ａ，３１ｂが第１導光部２１に導くことにより第１導光部２１が発光するものであり、第１導光部２１が有する複数の面部２４〜２７のうち、発光対象に設定された面部２６に対する対向面部２７が凹凸面により形成されている。【選択図】図１
2018147612.tif 000002
【特許請求の範囲】
【請求項１】
ディスク再生装置におけるディスク挿抜用の開口部に前記ディスク再生装置の内部から光を照射する照明装置であって、
前記開口部の第１長辺又は第２長辺のいずれかに沿って設けられた第１導光部と、前記第１導光部の両端部にそれぞれ設けられた第２導光部と、を有する導光体を備え、
前記ディスク再生装置の内部に設けられた光源が発した光を前記第２導光部が前記第１導光部に導くことにより前記第１導光部が発光するものであり、
前記第１導光部が有する複数の面部のうち、発光対象に設定された面部に対する対向面部が凹凸面により形成されている
ことを特徴とする照明装置。
【請求項２】
前記導光体は、前記第１導光部と前記第２導光部間に設けられた第１屈曲部を有し、
前記第１屈曲部は、鈍角に屈曲している
ことを特徴とする請求項１記載の照明装置。
【請求項３】
前記第１屈曲部は、前記第１導光部に対して前記第２導光部が前記開口部に近づく向きに屈曲していることを特徴とする請求項２記載の照明装置。
【請求項４】
前記導光体は、前記第２導光部に設けられた第２屈曲部を有し、
前記第２屈曲部は、前記第２導光部の先端部が前記ディスク再生装置におけるディスク挿抜方向に沿う向きに屈曲している
ことを特徴とする請求項１記載の照明装置。
【請求項５】
前記第２屈曲部は、２段階に屈曲していることを特徴とする請求項４記載の照明装置。
【請求項６】
前記導光体は、前記第１導光部と前記第２屈曲部間に設けられた位置決め用の凸リブを有することを特徴とする請求項４記載の照明装置。
【請求項７】
前記第１導光部が有する複数の面部のうち、前記開口部に挿入されたディスクと対向する面部が前記発光対象に設定されていることを特徴とする請求項１記載の照明装置。
【請求項８】
前記導光体は、前記第１導光部の中央部に設けられた固定部を有し、前記固定部に設けられた孔部により他の部材に固定されていることを特徴とする請求項１記載の照明装置。
【請求項９】
前記固定部が有する複数の面部のうち、前記第１導光部における前記対向面部と同じ向きの面部が凹凸面により形成されていることを特徴とする請求項８記載の照明装置。
【請求項１０】
前記ディスク再生装置は、前記第１長辺又は前記第２長辺が前記開口部の上辺又は下辺に対応する向きにて車載されていることを特徴とする請求項１記載の照明装置。
【請求項１１】
前記導光体は、光透過性材料による一体成形品であることを特徴とする請求項１記載の照明装置。
【請求項１２】
ディスク挿抜用の開口部と、前記開口部に内部から光を照射する照明装置と、を備える車載用のディスク再生装置であって、
前記照明装置は、
前記開口部の第１長辺又は第２長辺のいずれかに沿って設けられた第１導光部と、前記第１導光部の両端部にそれぞれ設けられた第２導光部と、を有する導光体を備え、
当該ディスク再生装置の内部に設けられた光源が発した光を前記第２導光部が前記第１導光部に導くことにより前記第１導光部が発光するものであり、
前記第１導光部が有する複数の面部のうち、発光対象に設定された面部に対する対向面部が凹凸面により形成されている
ことを特徴とするディスク再生装置。
【請求項１３】
ディスク再生装置におけるディスク挿抜用の開口部に前記ディスク再生装置の内部から光を照射する照明装置に用いられる導光体であって、
前記開口部の第１長辺又は第２長辺のいずれかに沿って設けられた第１導光部と、前記第１導光部の両端部にそれぞれ設けられた第２導光部と、備え、
前記ディスク再生装置の内部に設けられた光源が発した光を前記第２導光部が前記第１導光部に導くことにより前記第１導光部が発光するものであり、
前記第１導光部が有する複数の面部のうち、発光対象に設定された面部に対する対向面部が凹凸面により形成されている
ことを特徴とする導光体。
【発明の詳細な説明】
【技術分野】
【０００１】
本発明は、ディスク再生装置と、ディスク再生装置用の照明装置と、照明装置用の導光体とに関する。
【背景技術】
【０００２】
従来、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）又はＢＤ（Ｂｌｕ−ｒａｙ（登録商標）  Ｄｉｓｃ）などのディスクメディア（以下、単に「ディスク」という。）に記録された音声又は映像などの情報を再生する装置（以下「ディスク再生装置」という。）が開発されている。ディスク再生装置は、ディスク挿抜用の開口部、いわゆる「ディスクスロット」を有している。また、夜間の使用時にディスクスロットの位置を視認しやすくする観点などから、ディスク再生装置のうちのディスクスロットを含む部位（以下「ディスクスロット部」という。）を発光させる技術が開発されている。
【０００３】
例えば、特許文献１のパネル発光構造（１００）は、前面パネル（１２Ｆ）の内側に、ディスクスロット（１４）の全周に沿う形状の導光板（１０２）が設けられている。すなわち、導光板（１０２）は、ディスクスロット（１４）の各長辺に沿う光伝搬領域（１３２）を有している。導光板（１０２）の両端部には、光源（１４２）がそれぞれ配置されている。光源（１４２）の発した光が導光板（１０２）の両端部から導光板（１０２）内に入射することにより、光伝搬領域（１３２）が発光する。
【０００４】
ここで、光伝搬領域（１３２）の外周面（１３２ｄ）は、いわゆる「Ｒ面」により形成されている。これは、導光板（１０２）内に入射した光をＲ面によりディスクスロット（１４）に向けて反射させることで、当該入射した光の有効利用を図るものである。
【先行技術文献】
【特許文献】
【０００５】
【特許文献１】特開２００８−１１２６１２号公報
【発明の概要】
【発明が解決しようとする課題】
【０００６】
特許文献１のパネル発光構造は、ディスクスロットの全周に亘り導光板を配置することが求められる。このため、ディスクスロット部の剛性を確保するのが難しいという問題があった。この結果、仮に特許文献１のパネル発光構造を車載用のディスク再生装置に応用した場合、高熱又は衝撃などによりディスクスロットが変形して、ディスクの排出不良が発生するという問題があった。
【０００７】
また、特許文献１のパネル発光構造は、ディスクスロットの全周に沿う形状の導光板を有するものであり、かつ、この導光板の外周面がＲ面により形成されている。このため、ディスクスロット部におけるデザインの制約が多く、デザインの自由度が低いという問題があった。
【０００８】
本発明は、上記のような課題を解決するためになされたものであり、ディスクスロット部における剛性の確保を容易にすることができ、かつ、デザインの自由度を向上することができる照明装置、ディスク再生装置及び導光体を提供することを目的とする。
【課題を解決するための手段】
【０００９】
本発明の照明装置は、ディスク再生装置におけるディスク挿抜用の開口部にディスク再生装置の内部から光を照射する照明装置であって、開口部の第１長辺又は第２長辺のいずれかに沿って設けられた第１導光部と、第１導光部の両端部にそれぞれ設けられた第２導光部とを有する導光体を備え、ディスク再生装置の内部に設けられた光源が発した光を第２導光部が第１導光部に導くことにより第１導光部が発光するものであり、第１導光部が有する複数の面部のうち、発光対象に設定された面部に対する対向面部が凹凸面により形成されているものである。
【発明の効果】
【００１０】
本発明によれば、上記のように構成したので、ディスクスロット部における剛性の確保を容易にすることができ、かつ、デザインの自由度を向上することができる。
【図面の簡単な説明】
【００１１】
【図１】本発明の実施の形態１に係る照明装置の要部を示す分解斜視図である。
【図２】本発明の実施の形態１に係る照明装置の要部を示す正面図である。
【図３】図２に示すＡ−Ａ’線に沿う断面図である。
【図４】本発明の実施の形態１に係る基板、光源及び導光体を示す斜視図である。
【図５】本発明の実施の形態１に係るディスク再生装置のディスクスロット部を正面から見た状態を示す説明図である。
【図６】本発明の実施の形態１に係る導光体を底面から見た状態を示す説明図である。
【図７】図７Ａは、本発明の実施の形態１に係る導光体を示す正面図である。図７Ｂは、図７Ａに示すＡ−Ｂ−Ｃ−Ｄ線で囲まれた領域の拡大図である。
【図８】図８Ａは、本発明の実施の形態１に係る導光体の中央部を示す正面図である。図８Ｂは、図８Ａに示すＥ−Ｆ−Ｇ−Ｈ線で囲まれた領域の拡大図である。
【発明を実施するための形態】
【００１２】
実施の形態１．
図１は、本発明の実施の形態１に係る照明装置の要部を示す分解斜視図である。図２は、本発明の実施の形態１に係る照明装置の要部を示す正面図である。図３は、図２に示すＡ−Ａ’線に沿う断面図である。図４は、本発明の実施の形態１に係る基板、光源及び導光体を示す斜視図である。図５は、本発明の実施の形態１に係るディスク再生装置のディスクスロット部を正面から見た状態を示す説明図である。図６は、本発明の実施の形態１に係る導光体を底面から見た状態を示す説明図である。図７Ａは、本発明の実施の形態１に係る導光体を示す正面図である。図７Ｂは、図７Ａに示すＡ−Ｂ−Ｃ−Ｄ線で囲まれた領域の拡大図である。図８Ａは、本発明の実施の形態１に係る導光体の中央部を示す正面図である。図８Ｂは、図８Ａに示すＥ−Ｆ−Ｇ−Ｈ線で囲まれた領域の拡大図である。
【００１３】
図１〜図８を参照して、実施の形態１の照明装置１００と、この照明装置１００を含む車載用のディスク再生装置２００とについて説明する。
【００１４】
図中、１はパネルである。パネル１は、図示しない筐体の前面開口部に沿うように設けられており、図示しないネジなどにより当該筐体に固定されている。パネル１の表面部のうちの一部を覆うように、意匠用のカバー２が設けられている。パネル１の裏面部には、基板３が配置されている。基板３には、ＬＥＤ（Ｌｉｇｈｔ  Ｅｍｉｔｔｉｎｇ  Ｄｉｏｄｅ）などの光源４ａ，４ｂが実装されている。
【００１５】
すなわち、カバー２と、パネル１の表面部のうちのカバー２が設けられた部位を除く部位とは、ディスク再生装置２００の外部に露出している。基板３及び光源４ａ，４ｂは、図示しない筐体の内部に、すなわちディスク再生装置２００の内部に収容されている。
【００１６】
ここで、カバー２は略長方形状の貫通孔１１ａを有しており、パネル１は貫通孔１１ａと連通した貫通孔１１ｂを有している。これらの貫通孔１１ａ，１１ｂにより、ディスク挿抜用の開口部１１が構成されている。
【００１７】
図２に示す如く、開口部１１の断面形状は略長方形状であり、一対の長辺１２ａ，１２ｂと一対の短辺１３ａ，１３ｂとを有している。ディスク再生装置２００は、一方の長辺（以下「第１長辺」という。）１２ａが開口部１１の上辺に対応し、かつ、他方の長辺（以下「第２長辺」という。）１２ｂが開口部１１の下辺に対応する向きにて車載されている。
【００１８】
図５に示す如く、パネル１の表面部において、開口部１１の第１長辺１２ａに対応する壁部１４はパネル１と一体に形成されたものであり、開口部１１の短辺１３ａ，１３ｂに対応する壁部１５ａ，１５ｂもパネル１と一体に形成されたものである。これに対して、開口部１１の第２長辺１２ｂに対応する壁部は、導光体５の第１導光部２１により構成されている。以下、導光体５について説明する。
【００１９】
第１導光部２１は、開口部１１の第２長辺１２ｂに沿うように、パネル１とカバー２間に配置されている。これにより、パネル１の表面部において、開口部１１の第２長辺１２ｂに対応する壁部が第１導光部２１により構成されている。
【００２０】
第１導光部２１の中央部には、凸状の固定部２２ａ，２２ｂが設けられている。固定部２２ａ，２２ｂは、孔部２３ａ，２３ｂを有している。パネル１と一体に形成された図示しない凸部が孔部２３ａ，２３ｂに入ることにより、導光体５がパネル１に固定されている。または、カバー２と一体に形成された図示しない凸部が孔部２３ａ，２３ｂに入ることにより、導光体５がカバー２に固定されている。
【００２１】
第１導光部２１の一端部には、第２導光部３１ａが設けられている。第２導光部３１ａは略９０度の屈曲部３２ａを有しており、外形が略Ｌ字状である。第２導光部３１ａの先端部３３ａは、パネル１を貫通した孔部１６ａに通されており、光源４ａと対向している。すなわち、屈曲部３２ａは、第２導光部３１ａの先端部３３ａがディスク再生装置２００におけるディスクＤの挿抜方向に沿う向きに屈曲している。図３に示す矢印Ａ１は、ディスクＤの挿抜方向を示している。
【００２２】
同様に、第１導光部２１の他端部には、第２導光部３１ｂが設けられている。第２導光部３１ｂは略９０度の屈曲部３２ｂを有しており、外形が略Ｌ字状である。第２導光部３１ｂの先端部３３ｂは、パネル１を貫通した孔部１６ｂに通されており、光源４ｂと対向している。すなわち、屈曲部３２ｂは、第２導光部３１ｂの先端部３３ｂがディスク再生装置２００におけるディスクＤの挿抜方向に沿う向きに屈曲している。
【００２３】
ここで、屈曲部３２ａは２段階に屈曲しており、各段階の屈曲は略４５度である。これにより、第２導光部３１ａは、光源４ａから入射した光の向きを変えて、当該光を第１導光部２１に導くようになっている。図６に示す矢印Ａ２ａは、このときの光の向きを示している。
【００２４】
同様に、屈曲部３２ｂは２段階に屈曲しており、各段階の屈曲は略４５度である。これにより、第２導光部３１ｂは、光源４ｂから入射した光の向きを変えて、当該光を第１導光部２１に導くようになっている。図６に示す矢印Ａ２ｂは、このときの光の向きを示している。
【００２５】
第２導光部３１ａは、第１導光部２１と屈曲部３２ａ間に設けられた凸リブ３４ａを有している。第２導光部３１ｂは、第１導光部２１と屈曲部３２ｂ間に設けられた凸リブ３４ｂを有している。照明装置１００を組み立てるとき、凸リブ３４ａ，３４ｂがパネル１に当接することにより、導光体５がパネル１に対して位置決めされる。または、照明装置１００を組み立てるとき、凸リブ３４ａ，３４ｂがカバー２に当接することにより、導光体５がカバー２に対して位置決めされる。すなわち、凸リブ３４ａ，３４ｂは位置決め用の凸リブである。
【００２６】
ここで、第１導光部２１は略角棒状であり、複数の面部を有している。すなわち、第１導光部２１は、カバー２と対向した面部２４と、この面部２４に対する対向面部２５、すなわちパネル１の表面部と対向した面部２５とを有している。また、第１導光部２１は、開口部１１に挿入されたディスクＤと対向する面部２６、すなわちパネル１の壁部１４と対向した面部２６と、この面部２６に対する対向面部２７とを有している。
【００２７】
通常、ディスク再生装置２００は図示しない車両のダッシュボードに搭載されている。このため、ディスク再生装置２００は、当該車両の搭乗者、すなわちディスク再生装置２００のユーザの目の位置よりも下方に配置されている。また、面部２４はカバー２に当接しており、面部２５はパネル１の表面部に当接している。このため、第１導光部２１が有する複数の面部２４〜２７のうち、ディスクＤと対向する面部２６がカバー２の貫通孔１１ａ越しにユーザから視認され得る面部となる。以下、第１導光部２１が有する複数の面部２４〜２７のうち、ユーザから視認され得る面部２６を「意匠面部」ということがある。
【００２８】
第１導光部２１は、意匠面部２６に対する対向面部２７が凹凸面により形成されている。また、導光体５は、第１導光部２１と第２導光部３１ａ，３１ｂ間に設けられた屈曲部４１ａ，４１ｂを有している。図５に示す如く、屈曲部４１ａ，４１ｂは鈍角に屈曲しており、かつ、第１導光部２１に対して第２導光部３１ａ，３１ｂが開口部１１に近づく向きに屈曲している。このため、第２導光部３１ａ，３１ｂから第１導光部２１に入射した光は、対向面部２７の凹凸面により意匠面部２６に向けて反射される。これにより、光のロスを低減して、第１導光部２１の中央部にまで光を届かせることができる。この結果、意匠面部２６の全体を略均一に発光させることができる。
【００２９】
意匠面部２６の発光により、開口部１１に光が照射される。すなわち、意匠面部２６は、第１導光部２１が有する複数の面部２４〜２７のうちの主たる発光の対象となる面部である。以下、第１導光部２１が有する複数の面部２４〜２７のうちの主たる発光の対象となる面部２６を「発光対象に設定された面部」ということがある。
【００３０】
なお、第１導光部２１に設けられた固定部２２ａ，２２ｂも複数の面部により構成されている。固定部２２ａが有する複数の面部のうち、第１導光部２１における対向面部２７と同じ向きの面部２８ａ，２９ａは、対向面部２７と同様の凹凸面により形成されている。また、固定部２２ｂが有する複数の面部のうち、第１導光部２１における対向面部２７と同じ向きの面部２８ｂ，２９ｂは、対向面部２７と同様の凹凸面により形成されている。これらの面部２８ａ，２８ｂ，２９ａ，２９ｂのうち、面部２８ａ，２８ｂは孔部２３ａ，２３ｂの内周部に対応する面部である。これにより、固定部２２ａ，２２ｂにおいても光を意匠面部２６に向けて反射することができるため、光の利用効率を向上することができる。
【００３１】
以下、第１導光部２１と第２導光部３１ａ，３１ｂ間に設けられた屈曲部４１ａ，４１ｂを「第１屈曲部」という。また、第２導光部３１ａ，３１ｂに設けられた屈曲部３２ａ，３２ｂを「第２屈曲部」という。
【００３２】
導光体５は、光透過性を有する材料（以下「光透過性材料」という。）による一体成形品である。具体的には、例えば、導光体５は、アクリル樹脂又はポリカーボネート樹脂などの透明樹脂による射出成形品である。
【００３３】
パネル１、カバー２、基板３、光源４ａ，４ｂ及び導光体５により、照明装置１００の要部が構成されている。照明装置１００及び図示しない筐体などにより、ディスク再生装置２００が構成されている。
【００３４】
次に、ディスク再生装置２００の動作について、照明装置１００の動作を中心に説明する。
【００３５】
まず、基板３に実装された光源４ａ，４ｂが発光する。光源４ａ，４ｂが発した光は、第２導光部３１ａ，３１ｂの先端部３３ａ，３３ｂから第２導光部３１ａ，３１ｂ内に入射する。第２導光部３１ａ，３１ｂ内に入射した光は、第２屈曲部３２ａ，３２ｂにより向きを変えられて、第１導光部２１に導かれる。このとき、第２導光部３１ａ，３１ｂと第１導光部２１間に第１屈曲部４１ａ，４１ｂが設けられているため、第１導光部２１内に入射した光は対向面部２７の凹凸面により意匠面部２６に向けて反射される。これにより、意匠面部２６、すなわち発光対象に設定された面部２６が発光して、開口部１１に光が照射される。
【００３６】
このとき、第１導光部２１がパネル１とカバー２間に配置されているため、ディスク再生装置２００の内部から開口部１１に光が照射される。これにより、意匠用カバーの外部に露出した光源が発光する従来のデザインに対して、ディスク再生装置２００の内部から光が照射されることから間接照明的なデザインを実現することができる。
【００３７】
また、開口部１１の各辺に対応する壁部のうち、第２長辺１２ｂに対応する壁部のみが導光体５（第１導光部２１）により構成されている。このため、第１長辺１２ａに対応する壁部１４及び短辺１３ａ，１３ｂに対応する壁部１５ａ，１５ｂをパネル１と一体に形成することができる。これにより、ディスク再生装置２００のうちの開口部１１を含む部位、すなわちディスクスロット部の剛性を容易に確保することができる。この結果、車載に適したディスク再生装置２００を得ることができる。また、開口部１１の上辺側と下辺側とでディスクスロット部のデザインを異ならしめることが可能となり、デザインの自由度を向上することができる。
【００３８】
仮に、特許文献１のパネル発光構造を車載用のディスク再生装置に応用した場合において、ディスクスロット部の剛性を確保するために導光板の断面積を大きくした場合、導光板内における分散により光のロスが大きくなる。このロスを補償するために、例えば高輝度の光源を用いて発光量を増加させた場合、設計外の方向に対する光漏れが発生するという問題があった。これに対して、実施の形態１のディスク再生装置２００は、発光量の増加を不要としつつ、すなわち光漏れの発生を抑制しつつ、ディスクスロット部の剛性を容易に確保することができる。
【００３９】
また、実施の形態１のディスク再生装置２００は、開口部１１の上辺側又は下辺側のいずれか一方のみが発光する。ディスク挿抜用の開口部１１と図示しない操作釦との配置関係などに応じていずれの長辺側を発光させるかを設定することにより、夜間の使用時に開口部１１の発光により操作釦が視認しにくくなるのを抑制することができる。
【００４０】
すなわち、車載用のディスク再生装置には、夜間の使用時に操作釦の位置を視認しやすくする観点などから、操作釦が発光するものがある。仮に、特許文献１のパネル発光構造を車載用のディスク再生装置に応用した場合、ディスクスロットの全周が発光するため、ディスクスロットの光が明るくなりすぎて操作釦の光が視認しにくくなる問題があった。また、この問題を回避するために導光板用の光源の発光量を落とすと、光量不足により導光板の中央部が暗くなる問題があった。これに対して、実施の形態１のディスク再生装置２００は、光源４ａ，４ｂの発光量を落とすことなく、また操作釦が視認しにくくなるのを抑制しつつ、ディスク挿抜用の開口部１１を発光させることができる。
【００４１】
また、導光体５は、対向面部２７の凹凸面により光を意匠面部２６に向けて反射するものである。このため、対向面部２７を直線状にすることができる。したがって、導光板の外周面をＲ面状にしてなる特許文献１のパネル発光構造に比して、直線的なデザインを実現することが可能となり、デザインの自由度を向上することができる。
【００４２】
また、特許文献１のパネル発光構造は、導光板の側方に光源が設けられており、導光板の側方から導光板内に光を入射させるものであった。これに対して、実施の形態１のディスク再生装置２００は、導光体５の両端部に略Ｌ字状の第２導光部３１ａ，３１ｂが設けられており、導光体５の後方から導光体５内に光を入射させるものである。これにより、光源４ａ，４ｂの光軸がディスク再生装置２００の前後方向に沿う向きに光源４ａ，４ｂを配置することができる。この結果、導光体５用の光源４ａ，４ｂを、図示しない操作釦用の光源等と共用の基板３に実装することができる。これにより、コストの低減を図ることができる。
【００４３】
なお、固定部２２ａ，２２ｂの個数は２個に限定されるものではない。固定部２２ａ，２２ｂは、導光体５をパネル１又はカバー２に固定する機能に加えて、第１導光部２１の変形を抑制する機能を果たすものである。したがって、固定部２２ａ，２２ｂの個数は、導光体５の材料及び第１導光部２１の寸法などに応じて設定されたものであれば良い。
【００４４】
ただし、仮に固定部２２ａ，２２ｂを第１導光部２１の両端部に配置した場合、固定部２２ａ，２２ｂによる光のロスが大きくなり、第１導光部２１の中央部に光が届きにくくなる。この結果、意匠面部２６の両端部に対して中央部が暗くなる問題が生ずる。この問題を回避するために、固定部２２ａ，２２ｂの個数にかかわらず、固定部２２ａ，２２ｂは第１導光部２１の中央部に配置するのが好適である。
【００４５】
また、開口部１１の第１長辺１２ａに対応する壁部１４は、パネル１に代えてカバー２と一体に形成されたものであっても良い。または、壁部１４は、パネル１及びカバー２と別部材に形成されたものであっても良い。
【００４６】
また、開口部１１の短辺１３ａ，１３ｂに対応する壁部１５ａ，１５ｂは、パネル１に代えてカバー２と一体に形成されたものであっても良い。または、壁部１５ａ，１５ｂは、パネル１及びカバー２と別部材に形成されたものであっても良い。
【００４７】
また、開口部１１の第１長辺１２ａに対応する壁部が第１導光部２１により構成されたものであっても良い。この場合、開口部１１の第２長辺１２ｂ及び短辺１３ａ，１３ｂに対応する壁部は、パネル１若しくはカバー２と一体に形成されたもの、又はパネル１及びカバー２と別部材に形成されたものであっても良い。
【００４８】
また、ディスク再生装置２００は、第１長辺１２ａが開口部１１の下辺に対応し、かつ、第２長辺１２ｂが開口部１１の上辺に沿う向きにて車載されたものであっても良い。
【００４９】
すなわち、開口部１１の上辺側又は下辺側のいずれを発光させるかは、視認性を考慮して車両ごとに設定されたものであれば良い。具体的には、例えば、ディスク再生装置２００と搭乗者の目との位置関係、ダッシュボードに対するディスク再生装置２００の取り付け角度、及びダッシュボードと座席との位置関係などに応じて設定されたものであれば良い。
【００５０】
また、照明装置１００は、車載用のディスク再生装置２００はもちろん、車載用以外のディスク再生装置にも応用することができる。
【００５１】
以上のように、実施の形態１の照明装置１００は、ディスク再生装置２００におけるディスク挿抜用の開口部１１にディスク再生装置２００の内部から光を照射する照明装置１００であって、開口部１１の第１長辺１２ａ又は第２長辺１２ｂのいずれかに沿って設けられた第１導光部２１と、第１導光部２１の両端部にそれぞれ設けられた第２導光部３１ａ，３１ｂとを有する導光体５を備え、ディスク再生装置２００の内部に設けられた光源４ａ，４ｂが発した光を第２導光部３１ａ，３１ｂが第１導光部２１に導くことにより第１導光部２１が発光するものであり、第１導光部２１が有する複数の面部２４〜２７のうち、発光対象に設定された面部２６に対する対向面部２７が凹凸面により形成されている。これにより、ディスクスロット部における剛性の確保を容易にすることができ、かつ、デザインの自由度を向上することができる。
【００５２】
また、導光体５は、第１導光部２１と第２導光部３１ａ，３１ｂ間に設けられた第１屈曲部４１ａ，４１ｂを有し、第１屈曲部４１ａ，４１ｂは、鈍角に屈曲している。第１屈曲部４１ａ，４１ｂを設けることにより、第１導光部２１内に入射した光を対向面部２７の凹凸面により意匠面部２６に向けて反射させることができる。
【００５３】
また、第１屈曲部４１ａ，４１ｂは、第１導光部２１に対して第２導光部３１ａ，３１ｂが開口部１１に近づく向きに屈曲している。第１屈曲部４１ａ，４１ｂを設けることにより、第１導光部２１内に入射した光を対向面部２７の凹凸面により意匠面部２６に向けて反射させることができる。
【００５４】
また、導光体５は、第２導光部３１ａ，３１ｂに設けられた第２屈曲部３２ａ，３２ｂを有し、第２屈曲部３２ａ，３２ｂは、第２導光部３１ａ，３１ｂの先端部３３ａ，３３ｂがディスク再生装置２００におけるディスクＤの挿抜方向に沿う向きに屈曲している。第２屈曲部３２ａ，３２ｂを設けることにより、導光体５の後方に配置された光源４ａ，４ｂが発した光を第１導光部２１に導くことができる。この結果、導光体５用の光源４ａ，４ｂを、図示しない操作釦用の光源等と共用の基板３に実装することができる。
【００５５】
また、第２屈曲部３２ａ，３２ｂは、２段階に屈曲している。これにより、光源４ａ，４ｂが発した光の向きを変えることができる。
【００５６】
また、導光体５は、第１導光部２１と第２屈曲部３２ａ，３２ｂ間に設けられた位置決め用の凸リブ３４ａ，３４ｂを有する。これにより、照明装置１００を組み立てるとき、導光体５をパネル１又はカバー２に対して位置決めすることができる。
【００５７】
また、第１導光部２１が有する複数の面部２４〜２７のうち、開口部１１に挿入されたディスクＤと対向する面部２６が発光対象に設定されている。これにより、ユーザが視認し得る面部２６、すなわち意匠面部２６を主に発光させることができる。
【００５８】
また、導光体５は、第１導光部２１の中央部に設けられた固定部２２ａ，２２ｂを有し、固定部２２ａ，２２ｂに設けられた孔部２３ａ，２３ｂにより他の部材（パネル１又はカバー２）に固定されている。これにより、導光体５をパネル１又はカバー２に固定することができる。また、第１導光部２１の変形を抑制することができる。
【００５９】
また、固定部２２ａ，２２ｂが有する複数の面部のうち、第１導光部２１における対向面部２７と同じ向きの面部２８ａ，２８ｂ，２９ａ，２９ｂが凹凸面により形成されている。これにより、固定部２２ａ，２２ｂにおいても光を意匠面部２６に向けて反射することができるため、光の利用効率を向上することができる。
【００６０】
また、ディスク再生装置２００は、第１長辺１２ａ又は第２長辺１２ｂが開口部１１の上辺又は下辺に対応する向きにて車載されている。これにより、車両ごとに、視認性を考慮して、開口部１１の上辺側又は下辺側のいずれかを発光させることができる。
【００６１】
また、実施の形態１のディスク再生装置２００は、ディスク挿抜用の開口部１１と、開口部１１に内部から光を照射する照明装置１００とを備える車載用のディスク再生装置２００であって、照明装置１００は、開口部１１の第１長辺１２ａ又は第２長辺１２ｂのいずれかに沿って設けられた第１導光部２１と、第１導光部２１の両端部にそれぞれ設けられた第２導光部３１ａ，３１ｂとを有する導光体５を備え、ディスク再生装置２００の内部に設けられた光源４ａ，４ｂが発した光を第２導光部３１ａ，３１ｂが第１導光部２１に導くことにより第１導光部２１が発光するものであり、第１導光部２１が有する複数の面部２４〜２７のうち、発光対象に設定された面部２６に対する対向面部２７が凹凸面により形成されている。これにより、上記照明装置１００と同様の上記効果を得ることができる。
【００６２】
また、実施の形態１の導光体５は、ディスク再生装置２００におけるディスク挿抜用の開口部１１にディスク再生装置２００の内部から光を照射する照明装置１００に用いられる導光体５であって、開口部１１の第１長辺１２ａ又は第２長辺１２ｂのいずれかに沿って設けられた第１導光部２１と、第１導光部２１の両端部にそれぞれ設けられた第２導光部３１ａ，３１ｂと備え、ディスク再生装置２００の内部に設けられた光源４ａ，４ｂが発した光を第２導光部３１ａ，３１ｂが第１導光部２１に導くことにより第１導光部２１が発光するものであり、第１導光部２１が有する複数の面部２４〜２７のうち、発光対象に設定された面部２６に対する対向面部２７が凹凸面により形成されている。これにより、上記照明装置１００と同様の上記効果を得ることができる。
【００６３】
なお、本願発明はその発明の範囲内において、実施の形態の任意の構成要素の変形、もしくは実施の形態の任意の構成要素の省略が可能である。
【符号の説明】
【００６４】
１  パネル、２  カバー、３  基板、４ａ，４ｂ  光源、５  導光体、１１  開口部、１１ａ，１１ｂ  貫通孔、１２ａ  長辺（第１長辺）、１２ｂ  長辺（第２長辺）、１３ａ，１３ｂ  短辺、１４  壁部、１５ａ，１５ｂ  壁部、１６ａ，１６ｂ  孔部、２１  第１導光部、２２ａ，２２ｂ  固定部、２３ａ，２３ｂ  孔部、２４，２５，２６，２７  面部、２８ａ，２８ｂ  面部、２９ａ，２９ｂ  面部、３１ａ，３１ｂ  第２導光部、３２ａ，３２ｂ  屈曲部（第２屈曲部）、３３ａ，３３ｂ  先端部、３４ａ，３４ｂ  凸リブ、４１ａ，４１ｂ  屈曲部（第１屈曲部）、１００  照明装置、２００  ディスク再生装置。
【図１】
2018147612.tif 000003
【図２】
2018147612.tif 000004
【図３】
2018147612.tif 000005
【図４】
2018147612.tif 000006
【図５】
2018147612.tif 000007
【図６】
2018147612.tif 000008
【図７】
2018147612.tif 000009
【図８】
2018147612.tif 000010